(57)【要約】【課題】投影型静電容量方式タッチパネルにおいて、指等の導電体が軽くタッチしたときにも座標抜けすることなくタッチした位置の座標を検出すること。【解決手段】タッチセンサ部１のＸ電極Ｘ１〜Ｘｎ、Ｙ電極Ｙ１〜ＹｍをＮ回（例えば３回）走査してＸ電極静電容量変化量検出部３２ＸとＹ電極静電容量変化量検出部３２Ｙが検出した各電極の静電容量の変化量をＸ電極一時記憶部３５ＸとＹ電極一時記憶部３５Ｙに記憶し、Ｘ電極静電容量変化量加算部３６ＸとＹ電極静電容量変化量加算部３６Ｙにより走査３回分の静電容量の変化量を加算し、重心座標計算部３３は、その加算した静電容量の変化量を用いて指がタッチした位置の重心座標を算出する。【選択図】図１
2013131079.tif 000002
【特許請求の範囲】
【請求項１】
Ｘ電極Ｘ１〜Ｘｎ（ｎ＝２以上）とＹ電極Ｙ１〜Ｙｍ（ｍ＝２以上）が交差するように配置したタッチセンサ部とコントローラを備えた投影型静電容量方式タッチパネルにおいて、コントローラは、Ｘ電極Ｘ１〜ＸｎとＹ電極Ｙ１〜ＹｍをＮ回（Ｎ＝２以上）走査して検出したＸ電極Ｘ１〜ＸｎとＹ電極Ｙ１〜Ｙｍの静電容量の変化量を夫々記憶するＸ電極とＹ電極の一時記憶部、Ｘ電極とＹ電極の一時記憶部の静電容量の変化量を夫々加算するＸ電極とＹ電極の静電容量変化量加算部、Ｘ電極とＹ電極の静電容量変化量加算部が加算した静電容量の変化量を用いて導電体がタッチセンサ部にタッチした位置の重心座標を計算してその位置の座標を検出する重心座標計算部を備えていることを特徴とする投影型静電容量方式タッチパネル。
【請求項２】
請求項１に記載の投影型静電容量方式タッチパネルにおいて、前記Ｘ電極Ｘ１〜Ｘｎのタッチ反応部とＹ電極Ｙ１〜Ｙｍのタッチ反応部はデイスプレイの表示面の方向に重ならないように配置してあることを特徴とする投影型静電容量方式タッチパネル。
【請求項３】
Ｘ電極Ｘ１〜Ｘｎ（ｎ＝２以上）とＹ電極Ｙ１〜Ｙｍ（ｍ＝２以上）が交差するように配置したタッチセンサ部とコントローラを備えた投影型静電容量方式タッチパネルの座標検出方法において、コントローラは、Ｘ電極Ｘ１〜ＸｎとＹ電極Ｙ１〜ＹｍをＮ回（Ｎ＝２以上）走査して検出したＸ電極Ｘ１〜ＸｎとＹ電極Ｙ１〜Ｙｍの静電容量の変化量を夫々Ｘ電極とＹ電極の一時記憶部に記憶し、Ｘ電極とＹ電極の一時記憶部の静電容量の変化量を夫々Ｘ電極とＹ電極の静電容量変化量加算部で加算し、その加算した静電容量の変化量を用いて重心座標計算部で導電体がタッチセンサ部にタッチした位置の重心座標を計算してその位置の座標を検出することを特徴とする投影型静電容量方式タッチパネルの座標検出方法。
【請求項４】
請求項３に記載の投影型静電容量方式タッチパネルの座標検出方法において、前記Ｘ電極Ｘ１〜Ｘｎのタッチ反応部とＹ電極Ｙ１〜Ｙｍのタッチ反応部はデイスプレイの表示面の方向に重ならないように配置してあることを特徴とする投影型静電容量方式タッチパネルの座標検出方法。
【発明の詳細な説明】
【技術分野】
【０００１】
本発明は、投影型静電容量方式タッチパネルとその座標検出方法に関する。
【背景技術】
【０００２】
投影型静電容量方式タッチパネルは、デイスプレイの表示面に透明の複数のＸ電極と複数のＹ電極を交差するように（一般には直交するように）配置し、導電体（例えば人の指）がタッチパネルの透明カバーにタッチしたとき、指とＸ電極とＹ電極の間に生じる静電容量の変化量を検出して指がタッチした位置の座標を検出するように構成されている。
【０００３】
図３により、従来一般に用いられている投影型静電容量方式タッチパネルについて説明する。
図３（ａ）は、投影型静電容量方式タッチパネルの構成を示すブロック図、図３（ｂ）は、電極の構造（形状）を示す図、図３（ｃ）は、Ｘ電極Ｘ３〜Ｘ７とＹ電極Ｙ３，Ｙ４が交差する部分の拡大図である。
図３（ａ）において、タッチパネルは、タッチセンサ部１とコントローラ２を備えている。
タッチセンサ部１は、複数のＸ電極Ｘ１〜Ｘｎ（ｎ＝２以上）と複数のＹ電極Ｙ１〜Ｙｍ（ｍ＝２以上）を備え、Ｘ電極Ｘ１〜ＸｎとＹ電極Ｙ１〜Ｙｍは、交差（直交）するように配置してある。Ｘ電極とＹ電極は、ガラスやプラスチックの１枚の透明板の表裏両面に別々に形成するもの、１枚の透明板の同一面に並べて形成するもの、２枚の透明板に別々に形成するもの等がある。
【０００４】
Ｘ電極Ｘ１〜Ｘｎの各電極は、図３（ｂ）のＸ電極Ｘｊのように、多数の四角形のタッチ反応部ＸＳと連結部ＸＣからなり、Ｙ電極Ｙ１〜Ｙｍの各電極は、図３（ｂ）のＹ電極Ｙｉのように、多数の四角形のタッチ反応部ＹＳと連結部ＹＣからなる。なおタッチ反応部の形状は、四角形に限らない。
図３（ｃ）において、Ｘ電極のタッチ反応部は、Ｙ電極の４個のタッチ反応部に囲まれ、Ｙ電極のタッチ反応部は、Ｘ電極の４個のタッチ反応部に囲まれるように配置されている。Ｘ電極とＹ電極を図３（ｃ）のように配置すると、Ｘ電極のタッチ反応部とＹ電極のタッチ反応部は、デイスプレイ（図示せず）の表示面の方向に重ならないから、タッチセンサ部１の透過率が大きくなり、デイスプレイの表示面に対するタッチパネルの視認性が向上する。
【０００５】
コントローラ２は、Ｘ電極制御部２１Ｘ、Ｙ電極制御部２１Ｙ、Ｘ電極静電容量変化量検出部２２Ｘ、Ｙ電極静電容量変化量検出部２２Ｙ、重心座標計算部２３からなる。
Ｘ電極制御部２１Ｘは、Ｘ電極Ｘ１〜Ｘｎを所定の周期で走査して順次Ｘ電極Ｘ１〜Ｘｎを選択し、Ｙ電極制御部２１Ｙは、Ｙ電極Ｙ１〜Ｙｍを所定の周期で走査して順次Ｙ電極Ｙ１〜Ｙｍを選択する。
【０００６】
Ｘ電極静電容量変化量検出部２２Ｘは、Ｘ電極Ｘ１〜Ｘｎの静電容量を測定して指がタッチセンサ部１にタッチしたときの静電容量の変化量を検出する。Ｘ電極Ｘ１〜Ｘｎには、指がタッチセンサ部１にタッチしないとき（非タッチ時）にも所定の静電容量（寄生容量）が生じているから、Ｘ電極静電容量変化量検出部２２Ｘは、測定した静電容量を、非タッチ時の静電容量と比較して、その変化量を指のタッチによる反応値として検出する。
静電容量の変化量の検出は、例えばデジタルシグマ変調器を用い、タッチセンサ部１の持つ寄生容量(コンデンサ)を介して積分回路に電荷を充電させ、ある閾値電圧を越えるところで放電するといった動作を繰り返し、充放電の繰返周波数をカウントして得ることができる。タッチセンサ部１に指をタッチした場合には、この繰返周波数が変化する。一般的に、この繰返周波数の変化量をＤｉｆｆカウント値と呼ぶ。Ｙ電極静電容量変化量検出部２２Ｙは、Ｘ電極静電容量変化量検出部２２Ｘと同様に、Ｙ電極の各電極の静電容量の変化量を検出する。
重心座標計算部２３は、Ｘ電極静電容量変化量検出部２２ＸとＹ電極静電容量変化量検出部２２Ｙが検出したＸ電極Ｘ１〜ＸｎとＹ電極Ｙ１〜Ｙｍの静電容量の変化量に基づいて、指がタッチセンサ部１にタッチした位置の重心座標を計算してその位置の座標を検出し、座標出力２４を生成する。
【０００７】
図３（ａ）のタッチセンサ部１は、Ｘ電極のタッチ反応部とＹ電極のタッチ反応部が重ならないから、視認性が向上する反面、指がタッチセンサ部１にタッチしたとき或いはタッチと同程度に近接したとき、Ｘ電極又はＹ電極がそのタッチに反応しないことがある。例えば軽くタッチしたとき、子供の指がタッチしたときには、指がタッチセンサ部１に接する面積（タッチ面積）が小さいために、Ｘ電極又はＹ電極の一方の電極がそのタッチに反応しないことがある。またＸ電極、Ｙ電極のタッチ反応部の面積がタッチ面積に比べて大きすぎる場合にも、Ｘ電極又はＹ電極の一方の電極が指のタッチに反応しないことがある。Ｘ電極又はＹ電極が指のタッチに反応しないときは、指がタッチした位置の座標を検出できないから、いわゆる座標抜けが生じる。
【０００８】
座標抜けを防止するには、Ｘ電極とＹ電極を小さく（狭く）して、Ｘ電極とＹ電極の個数を増やせばよいが、Ｘ電極とＹ電極の個数を増やすとコントローラ２のコストが高くなる。
そこで図４のように、Ｘ電極とＹ電極のタッチ反応部を細分割して櫛の歯状に形成し、Ｘ電極とＹ電極の櫛歯状部分が噛み合うように配置した構造の電極が提案されている（特許文献１参照）。
図４の場合、Ｘ電極Ｘ１〜Ｘ４は、左右に突出した多数の櫛歯状部分を形成してあり、Ｙ電極Ｙ１〜Ｙ３は、左右に３個の櫛歯状部を形成した部材を水平方向に３個直列に連結し、その両側に片方向へ突出した３個の櫛歯状部を形成してある。
【先行技術文献】
【特許文献】
【０００９】
【特許文献１】特開２０１０−１９８５８６号公報
【発明の概要】
【発明が解決しようとする課題】
【００１０】
図４のＸ電極Ｘ１〜Ｘ４とＹ電極Ｙ１〜Ｙ３は、互いに噛み合う櫛歯状部を多数形成することにより、Ｘ電極とＹ電極のタッチ反応部を実質的に小さくして、指のタッチ面積に対するタッチ反応部の大きさを相対的に小さくしているが、電極の構造が複雑になり、電極の形成が難しくなる。
本発明は、図４の前記問題点に鑑み、Ｘ電極とＹ電極のタッチ反応部を細分割することなく、座標抜けが生じない投影型静電容量方式タッチパネルとその座標検出方法を提供することを目的とする。
【課題を解決するための手段】
【００１１】
本発明は、その目的を達成するため、請求項１に記載の投影型静電容量方式タッチパネルは、Ｘ電極Ｘ１〜Ｘｎ（ｎ＝２以上）とＹ電極Ｙ１〜Ｙｍ（ｍ＝２以上）が交差するように配置したタッチセンサ部とコントローラを備えた投影型静電容量方式タッチパネルにおいて、コントローラは、Ｘ電極Ｘ１〜ＸｎとＹ電極Ｙ１〜ＹｍをＮ回（Ｎ＝２以上）走査して検出したＸ電極Ｘ１〜ＸｎとＹ電極Ｙ１〜Ｙｍの静電容量の変化量を夫々記憶するＸ電極とＹ電極の一時記憶部、Ｘ電極とＹ電極の一時記憶部の静電容量の変化量を夫々加算するＸ電極とＹ電極の静電容量変化量加算部、Ｘ電極とＹ電極の静電容量変化量加算部が加算した静電容量の変化量を用いて導電体がタッチセンサ部にタッチした位置の重心座標を計算してその位置の座標を検出する重心座標計算部を備えていることを特徴とする。
請求項２に記載の投影型静電容量方式タッチパネルは、請求項１に記載の投影型静電容量方式タッチパネルにおいて、前記Ｘ電極Ｘ１〜Ｘｎのタッチ反応部とＹ電極Ｙ１〜Ｙｍのタッチ反応部はデイスプレイの表示面の方向に重ならないように配置してあることを特徴とする。
【００１２】
請求項３に記載の投影型静電容量方式タッチパネルの座標検出方法は、Ｘ電極Ｘ１〜Ｘｎ（ｎ＝２以上）とＹ電極Ｙ１〜Ｙｍ（ｍ＝２以上）が交差するように配置したタッチセンサ部とコントローラを備えた投影型静電容量方式タッチパネルの座標検出方法において、コントローラは、Ｘ電極Ｘ１〜ＸｎとＹ電極Ｙ１〜ＹｍをＮ回（Ｎ＝２以上）走査して検出したＸ電極Ｘ１〜ＸｎとＹ電極Ｙ１〜Ｙｍの静電容量の変化量を夫々Ｘ電極とＹ電極の一時記憶部に記憶し、Ｘ電極とＹ電極の一時記憶部の静電容量の変化量を夫々Ｘ電極とＹ電極の静電容量変化量加算部で加算し、その加算した静電容量の変化量を用いて重心座標計算部で導電体がタッチセンサ部にタッチした位置の重心座標を計算してその位置の座標を検出することを特徴とする。
請求項４の投影型静電容量方式タッチパネルの座標検出方法は、請求項３に記載の投影型静電容量方式タッチパネルの座標検出方法において、前記Ｘ電極Ｘ１〜Ｘｎのタッチ反応部とＹ電極Ｙ１〜Ｙｍのタッチ反応部はデイスプレイの表示面の方向に重ならないように配置してあることを特徴とする。
【発明の効果】
【００１３】
本発明は、Ｘ電極とＹ電極をＮ回走査して検出した静電容量の変化量を加算し、その加算した走査Ｎ回分の静電容量の変化量を１回の走査で検出した両電極の静電容量の変化量として扱い、その加算した両電極の静電容量の変化量を用いて指がタッチセンサ部にタッチした位置の座標を検出するから、指がタッチセンサ部に軽くタッチしたとき、指が小さいとき等タッチ面積が小さいときにも、指が通常の強さでタッチしたときと同様に座標を検出できるから、座標抜けを防止できる。特に指が移動している場合の座標検出に好適である。
また本発明は、指がタッチセンサ部に軽くタッチしたとき等タッチ面積が小さいときにも、指が通常の強さでタッチしたときと同様に指がタッチした電極とその電極の両隣の電極が反応した状態と等価の反応状態における座標を検出できるから、指が実際にタッチした位置の座標を正確に検出でき、座標検出の分解能が高くなる。
本発明の座標抜け防止や高分解能の効果は、特にＸ電極とＹ電極のタッチ反応部が重ならないように両電極を配置したタッチセンサ部の場合に大きい。
【図面の簡単な説明】
【００１４】
【図１】図１は、本発明の実施例に係る投影型静電容量方式タッチパネルの構成を示すブロック図である。
【図２】図２は、図１のタッチセンサ部の電極に生じる静電容量の変化量を説明する図である。
【図３】図３は、従来の投影型静電容量方式タッチパネルの構成を示すブロック図である。
【図４】図４は、従来の投影型静電容量方式タッチパネルの電極の構造（形状）を示す図である。
【発明を実施するための形態】
【００１５】
本発明の実施形態は、投影型静電容量方式タッチパネルにおいて、Ｘ電極Ｘ１〜Ｘｎ（ｎ＝２以上）及びＹ電極Ｙ１〜Ｙｍ（ｍ＝２以上）を走査する度に検出したＸ電極Ｘ１〜ＸｎとＹ電極Ｙ１〜Ｙｍの静電容量の変化量を一時記憶部に記憶し、Ｎ回（Ｎ＝２以上、例えば３回）走査して検出した静電容量の変化量を加算し、その加算した走査Ｎ回分の静電容量の変化量に基づいて指がタッチセンサ部にタッチした位置の重心座標を計算し、その位置の座標を検出している。即ち本発明の実施形態は、Ｎ回の走査により検出した静電容量の変化量を加算し、その加算した変化量を１回の走査により検出した変化量として扱って重心座標を計算している。
【実施例】
【００１６】
図１により本発明の実施例に係る投影型静電容量方式タッチパネルを説明する。
タッチパネルは、タッチセンサ部１とコントローラ３を備えている。
タッチセンサ部１及びタッチセンサ部１を構成するＸ電極とＹ電極の構造（形状）は、図３と同じであるから、説明は省略する。
コントローラ３は、Ｘ電極制御部３１Ｘ、Ｙ電極制御部３１Ｙ、Ｘ電極静電容量変化量検出部３２Ｘ、Ｙ電極静電容量変化量検出部３２Ｙ、Ｘ電極一時記憶部３５Ｘ、Ｙ電極一時記憶部３５Ｙ、Ｘ電極静電容量変化量加算部３６Ｘ、Ｙ電極静電容量変化量加算部３６Ｙ、重心座標計算部３３からなる。
コントローラ３のＸ電極制御部３１Ｘ、Ｙ電極制御部３１Ｙ、Ｘ電極静電容量変化量検出部３２Ｘ、Ｙ電極静電容量変化量検出部３２Ｙは、図３のＸ電極制御部２１Ｘ、Ｙ電極制御部２１Ｙ、Ｘ電極静電容量変化量検出部２２Ｘ、Ｙ電極静電容量変化量検出部２２Ｙと同じであるから説明は省略する。
【００１７】
Ｘ電極一時記憶部３５Ｘは、Ｘ電極Ｘ１〜ＸｎをＮ回（本実施はＮ＝３）走査したときのＸ電極Ｘ１〜Ｘｎの静電容量の変化量を一時的に記憶する３個のメモリを備えている。即ちＸ電極一時記憶部３５Ｘは、走査３回分の静電容量の変化量を記憶できる。３個のメモリに記憶されている静電容量の変化量は、走査回数が進むにしたがって古い静電容量の変化量を消去して新しい静電容量の変化量を記憶する。したがって３個のメモリには、今回の走査、前回の走査、前々回の走査により検出した静電容量の変化量が記憶されている。Ｙ電極一時記憶部３５Ｙは、Ｘ電極一時記憶部３５Ｘと同様に、Ｙ電極Ｙ１〜Ｙｍを３回走査して検出したＹ電極Ｙ１〜Ｙｍの静電容量の変化量を一時的に記憶する３個のメモリを備えている。
【００１８】
Ｘ電極静電容量変化量加算部３６Ｘは、Ｘ電極一時記憶部３５Ｘの３個のメモリに記憶されている静電容量の変化量を加算し、その加算した静電容量の変化量を１回の走査で検出した静電容量の変化量として扱う。同様にＹ電極静電容量変化量加算部３６Ｙは、Ｙ電極一時記憶部３５Ｙの３個のメモリに記憶されている静電容量の変化量を加算し、その加算した静電容量の変化量を１回の走査で取得した静電容量の変化量として扱う。
重心座標計算部３３は、Ｘ電極静電容量変化量加算部３６Ｘで加算した静電容量の変化量とＹ電極静電容量変化量加算部３６Ｙで加算した静電容量の変化量を用いて、指がタッチセンサ部１にタッチした位置の重心座標を計算して座標出力３４を生成する。
【００１９】
図２により図１のタッチセンサ部１の各電極に生じる静電容量の変化量について説明する。
まず図２（ａ１）〜（ａ３）について説明する。
図２（ａ１）は、Ｘ電極Ｘ３〜Ｘ７の配置を示し、図２（ａ２），（ａ３）は、指がＸ電極Ｘ４にタッチしたときに生じる各電極の静電容量の変化量を示す。図２（ａ２），（ａ３）において、横軸は、Ｘ電極Ｘ３〜Ｘ７を示し、縦軸は、静電容量の変化量の検出値を示す。なおＹ電極は、省略してある。
【００２０】
指がタッチセンサ部１にタッチしたときのタッチ面積は、指が通常の強さでタッチした場合と軽くタッチした場合或いは指が小さい場合とで異なり、前者の場合のタッチ面積は大きく、後者の場合（指のタッチ面積よりも各電極（タッチ反応部）の面積が大きい場合）のタッチ面積は小さくなる。
そこで図２（ａ１）において、指ＦがＸ電極Ｘ４に通常の強さでタッチした場合と軽くタッチした場合におけるＸ電極Ｘ３〜Ｘ７の静電容量の変化について説明する。
【００２１】
まず図２（ａ１）において、指ＦがＸ電極Ｘ４に通常の強さでタッチすると、Ｘ電極Ｘ４とその両隣のＸ電極Ｘ３，Ｘ５が反応して、Ｘ電極Ｘ３，Ｘ４，Ｘ５の静電容量が変化する。即ち指ＦがＸ電極Ｘ４にタッチすると、Ｘ電極Ｘ４は一番強く反応して静電容量の変化量も一番大きくなり、Ｘ電極Ｘ３，Ｘ５の静電容量の変化量は、Ｘ電極Ｘ４よりも小さくなる。なおこの場合、指Ｆのタッチ位置に隣接するＹ電極（図示せず）も反応して静電容量が変化する。したがって指Ｆが通常の強さでタッチした場合には、それらの静電容量の変化量を用いて、指Ｆがタッチした位置の重心座標を計算してその位置の座標を検出できる。
一方図２（ａ１）において、指ＦがＸ電極Ｘ４に軽くタッチすると、図２（a３）のように、Ｘ電極Ｘ４のみが反応して、Ｘ電極Ｘ３，Ｘ５は反応しない場合がある。なおこの場合、指Ｆのタッチ位置に隣接するＹ電極（図示せず）も反応しない場合がある。したがってこの場合には、指がタッチした位置の座標を正確に検出できないことがある。
【００２２】
次に図２（ｂ１）〜（ｂ４）について説明する。
図２（ｂ１）は、指が矢印Ｐ方向へ移動する例で、指が移動するとき、Ｘ電極Ｘ４、Ｘ５，Ｘ６及び図示しないＹ電極に順次タッチする。
図２（ｂ１）において、指がＸ電極Ｘ４、Ｘ５，Ｘ６に通常の強さでタッチしたときには、Ｘ電極Ｘ４、Ｘ５，Ｘ６は、図２（ａ２）と同様に指がタッチした電極の両隣の電極も反応する。しかし指がＸ電極Ｘ４、Ｘ５，Ｘ６に軽くタッチしたときには、Ｘ電極Ｘ４、Ｘ５，Ｘ６は、図２（ａ３）と同様に指がタッチした電極のみが反応し、各電極の静電容量は、図２（ｂ２），（ｂ３），（ｂ４）のように変化する。なお指Ｆ１，Ｆ２，Ｆ３の位置に隣接するＹ電極（図示せず）は、図２（ａ１）について説明したＹ電極の反応と同様の反応をする。
したがって図２（ｂ１）において、指がＸ電極Ｘ４、Ｘ５，Ｘ６に軽くタッチしたときには、図２（ａ２）の場合と同様に指がタッチした位置の座標を正確に検出できないことがある。
【００２３】
そこで本実施例は、図２（ｂ２），（ｂ３），（ｂ４）の静電容量の変化量を加算すると、図２（ｂ５）のようになり、図２（ａ２）と類似の静電容量の変化量が得られることに着目して、タッチセンサ部１のＸ電極Ｘ１〜Ｘｎを３回走査して検出した静電容量の変化量を加算し、その加算した走査３回分の静電容量の変化量を１回の走査で検出した静電容量の変化量として扱って重心座標を計算している。同様にＹ電極Ｙ１〜Ｙｍについても、３回走査して検出した静電容量の変化量を加算し、その加算した走査３回分の静電容量の変化量を１回の走査で検出した静電容量の変化量として扱って重心座標を計算している。
【００２４】
本実施例は、タッチセンサ部１のＸ電極Ｘ１〜ＸｎとＹ電極Ｙ１〜Ｙｍを３回走査して検出した静電容量の変化量を加算し、その加算した走査３回分の静電容量の変化量を１回の走査で検出したＸ電極の静電容量の変化量及びＹ電極の静電容量の変化量として扱い、その加算した両電極の静電容量の変化量を用いて指がタッチした位置の座標を検出するから、指がタッチセンサ部１に軽くタッチときにも指が通常の強さでタッチしたときと同様の座標の検出が可能になり、座標抜けの頻度が小さくなる。
また本実施例は、指がタッチセンサ部１に軽くタッチしたときにも、指が通常の強さでタッチしたときと同様に指がタッチした電極の両隣の電極も反応した状態と等価の反応状態になるから、指が実際にタッチした位置の座標を正確に検出でき、座標検出の分解能が高くなる。
なお本実施例の場合、走査３回分の静電容量の変化量を加算して走査１回分の静電容量の変化量として扱うから、図２（ｂ１）において、指が矢印Ｐ方向へ移動して電極Ｘ６（指Ｆ３の位置）にあるときに検出される座標は、電極Ｘ５（指Ｆ２の位置）に相当する座標になるから、指Ｆ３の位置よりも１走査分遅れた位置の座標となる。即ち検出される座標は、指がタッチしている電極Ｘ６の隣の電極Ｘ５に相当する位置の座標となる。この座標の検出遅れは、タッチパネルの操作者にほとんど違和感を与えない。
【００２５】
前記実施例は、Ｘ電極とＹ電極を３回走査して検出した静電容量の変化分を加算する例について説明したが、走査回数は、３回に限らずＮ回（Ｎ＝２回以上）でよい。一方走査回数が多くなると、静電容量の変化分を加算する時間や重心座標を計算する時間が長くなる。そこで指が通常の強さでタッチセンサ部にタッチしたときには、タッチした電極と少なくともその電極の両隣の電極が反応してタッチ位置の正確な座標を検出できる点を勘案すると、走査回数は３回が好ましい。
前記実施例は、四角形のタッチ反応部を例に説明したが、タッチ反応部の形状は、四角形に限らない。しかしタッチ反応部の形状が四角形の場合には、Ｘ電極とＹ電極の間の空きスペースを小さくすることができるから、指のタッチの検出感度が高くなる。
前記実施例は、タッチセンサ部にタッチする導電体は、人の指を例に説明したが、指以外の導電体であってもよい。
【００２６】
前記実施例は、Ｘ電極とＹ電極のタッチ反応部がデイスプレイの表示面方向に重ならないように配置したタッチセンサ部を備えた投影型静電容量方式タッチパネルについて説明したが、本発明は、Ｘ電極とＹ電極が重なるように配置したタッチセンサ部を備えた投影型静電容量方式タッチパネルにも適用することができる。Ｘ電極とＹ電極が重なるように配置したタッチセンサ部の場合には、座標抜けはあまり生じないが、本発明を適用すると、指のタッチ位置の座標を検出するときの分解能が高くなる。
【符号の説明】
【００２７】
１  タッチセンサ部
３  コントローラ
３１Ｘ，３１Ｙ  Ｘ電極制御部、Ｙ電極制御部
３２Ｘ，３２Ｙ  Ｘ電極静電容量変化量検出部、Ｙ電極静電容量変化量検出部
３３  重心座標計算部
３４  座標出力
３５Ｘ，３５Ｙ  Ｘ電極一時記憶部、Ｙ電極一時記憶部
３６Ｘ，３６Ｙ  Ｘ電極静電容量変化量加算部、Ｙ電極静電容量変化量加算部
Ｆ，Ｆ１，Ｆ２，Ｆ３  人の指
Ｘ１〜Ｘｎ  Ｘ電極
Ｙ１〜Ｙｍ  Ｙ電極
ＸＳ，ＹＳ  Ｘ電極のタッチ反応部、Ｙ電極のタッチ反応部
ＸＣ，ＹＣ  Ｘ電極の連結部、Ｙ電極の連結部
【図１】
2013131079.tif 000003
【図２】
2013131079.tif 000004
【図３】
2013131079.tif 000005
【図４】
2013131079.tif 000006